(57)【要約】【課題】本発明は、画像処理装置本体と操作端末との距離に基づいて操作端末での装置本体の所定の状態を通知する通知音の発生制御を行う。【解決手段】画像処理システム１は、画像処理動作を行う画像処理装置本体２と、該画像処理装置本体２の動作を操作する操作端末３と、が任意の通信方式で通信し、画像処理装置本体２が、異常状態の発生を異常発生検知部２１で検出すると、通信部２３に該異常状態の発生を通知する。操作端末３は、通信部３２が、該異常情報を受信すると、その時の通信部３２と画像処理装置本体２との通信方式を通信方式判定部３３が判定し、警告音発生判定部３１が、該通信方式に基づいて画像処理装置本体２との距離を判定して、警告音発生部３４での警告音の発生を制御する。【選択図】          図１
2014027393.tif 000002
【特許請求の範囲】
【請求項１】
画像処理動作を行う画像処理装置本体と、該画像処理装置本体の動作を操作可能な操作端末と、が任意の通信方式で通信する画像処理システムであって、
前記画像処理装置本体は、
前記操作端末と前記通信方式で通信する通信手段と、
該画像処理装置本体における所定の状態の発生を検出する状態検出手段と、
前記状態検出手段が前記所定の状態を検出すると、前記通信手段に該所定の状態の発生を通知する通知情報を前記操作端末へ送信させる通信制御手段と、
を備え、
前記操作端末は、
前記通信方式で前記画像処理装置本体の前記通信手段と通信して、前記通知情報を受信する端末通信手段と、
前記端末通信手段が前記通知情報を受信したときの前記画像処理装置本体との距離を検出する距離検出手段と、
前記画像処理装置本体での所定の状態の発生を、通知音を発生して通知する通知手段と、
前記距離検出手段の検出した前記画像処理装置本体との距離に基づいて前記通知手段による前記通知音の発生を制御する通知制御手段と、
を備えていることを特徴とする画像処理システム。
【請求項２】
前記端末通信手段は、
複数の前記画像処理装置本体の前記通信手段とそれぞれ通信し、
前記距離検出手段は、
前記端末通信手段が前記通知情報を受信したときの該通知情報の送信元の前記画像処理装置本体との距離を検出することを特徴とする請求項１記載の画像処理システム。
【請求項３】
前記距離検出手段は、
前記端末通信手段が前記通知情報を受信したときの該端末通信手段による前記画像処理装置本体との通信方式に基づいて該画像処理装置本体との距離を検出することを特徴とする請求項１または請求項２記載の画像処理システム。
【請求項４】
前記通知制御手段は、
前記距離検出手段の検出した前記通信方式が、有線接続方式または所定の近距離の無線通信方式であると、前記通知手段による前記通知音の発生を禁止し、該通信方式が、所定の遠距離の無線通信方式であると、該通知手段による該通知音の発生を行わせることを特徴とする請求項３記載の画像処理システム。
【請求項５】
画像処理動作を行う画像処理装置本体と、該画像処理装置本体の動作を操作する操作端末と、が任意の通信方式で通信する画像処理装置の実行する通知音制御方法であって、
前記画像処理装置本体が、
前記操作端末と前記通信方式で通信する通信処理ステップと、
前記画像処理装置本体における所定の状態の発生を検出する状態検出処理ステップと、
前記状態検出処理ステップで前記所定の状態が検出されると、前記通信処理ステップで該所定の状態の発生を通知する通知情報を前記操作端末へ送信させる通信制御処理ステップと、
を有し、
前記操作端末が、
前記通信方式で前記画像処理装置本体の前記通信処理ステップと通信して、前記通知情報を受信する端末通信処理ステップと、
前記端末通信処理ステップで前記通知情報が受信されたときの前記画像処理装置本体との距離を検出する距離検出処理ステップと、
前記画像処理装置本体での所定の状態の発生を、通知音を発生して通知する通知処理ステップと、
前記距離検出処理ステップで検出された前記画像処理装置本体との距離に基づいて前記通知処理ステップによる前記通知音の発生を制御する通知制御処理ステップと、
を有していることを特徴とする通知音制御方法。
【請求項６】
画像処理動作を行う画像処理装置本体と、該画像処理装置本体の動作を操作する操作端末と、が任意の通信方式で通信する画像処理装置の搭載する通知音制御プログラムであって、
前記画像処理装置本体が、
コンピュータに、
前記操作端末と前記通信方式で通信する通信処理と、
前記画像処理装置本体における所定の状態の発生を検出する状態検出処理と、
前記状態検出処理で前記所定の状態が検出されると、前記通信処理で該所定の状態の発生を通知する通知情報を前記操作端末へ送信させる通信制御処理と、
を実行させ、
を有し、
前記操作端末が、
コンピュータに、
前記通信方式で前記画像処理装置本体と通信して、前記通知情報を受信する端末通信処理と、
前記端末通信処理で前記通知情報が受信されたときの前記画像処理装置本体との距離を検出する距離検出処理と、
前記画像処理装置本体での所定の状態の発生を、通知音を発生して通知する通知処理と、
前記距離検出処理で検出された前記画像処理装置本体との距離に基づいて前記通知処理による前記通知音の発生を制御する通知制御処理と、
を実行させることを特徴とする通知音制御プログラム。
【発明の詳細な説明】
【技術分野】
【０００１】
本発明は、画像処理システム、通知音制御方法及び通知音制御プログラムに関し、詳細には、画像処理装置本体と操作端末との距離に基づいて操作端末での画像処理装置本体における所定状態の発生を通知する通知音の報知制御を行なう画像処理システム、通知音制御方法及び通知音制御プログラムに関する。
【背景技術】
【０００２】
ファクシミリ装置、複写装置、プリンタ装置、スキャナ装置、複合装置等の画像処理装置においては、近年、操作性や利用性の向上が求められ、複合装置においては、操作部を装置本体から取り外して、有線または無線で操作部と装置本体との通信を行って、装置本体から取り外した状態の操作部での操作や、該操作部のディスプレイへの情報表示を可能としている（特許文献１参照）。
【０００３】
そして、従来の操作部を取り外すことのできる複合装置は、装置本体において紙詰まり、用紙切れ、トナー等の印刷剤切れ等の異常が発生した場合に、警告音を、操作部で鳴らすか、鳴らさないかを選択可能として、該選択に応じて警告音を操作部で鳴らすか、鳴らさないかの制御を行なっている。
【発明の概要】
【発明が解決しようとする課題】
【０００４】
しかしながら、上記従来技術にあっては、操作部を取り外すことのできる複合装置において、異常が発生した場合に、警告音を、「操作部で鳴らす」か、「鳴らさない」かを選択可能として、該選択に応じて警告音を「操作部で鳴らす」か、「鳴らさない」かの制御を行なっているのみであるため、操作部が無線接続されていて、「操作部で警告音を鳴らさない」が選択されていると、ユーザが、装置本体で鳴る警告音が聞こえないか、聞こえにくい距離まで離れた位置まで操作部を持って行っている場合、装置本体で異常が発生しても、操作部では警告音がならず、装置本体の警告音が聞こえないことから、装置本体の異常発生を認識することができず、利用性が悪いという問題がある。また、従来技術にあっては、操作部が有線で装置本体に接続されていて、「操作部で警告音を鳴らす」が選択されていると、ユーザが有線であることから、装置本体の警告音が聞こえる位置で操作部を操作することとなるが、この場合に、装置本体に異常が発生すると、装置本体と操作部の双方で警告音が鳴ることとなり、作業環境を悪化させるおそれがあるという問題がある。
【０００５】
そこで、本発明は、適切な通知音の発生制御を行うことを目的としている。
【課題を解決するための手段】
【０００６】
上記目的を達成するために、請求項１記載の画像処理システムは、画像処理動作を行う画像処理装置本体と、該画像処理装置本体の動作を操作可能な操作端末と、が任意の通信方式で通信する画像処理システムであって、前記画像処理装置本体は、前記操作端末と前記通信方式で通信する通信手段と、該画像処理装置本体における所定の状態の発生を検出する状態検出手段と、前記状態検出手段が前記所定の状態を検出すると、前記通信手段に該所定の状態の発生を通知する通知情報を前記操作端末へ送信させる通信制御手段と、を備え、前記操作端末は、前記通信方式で前記画像処理装置本体の前記通信手段と通信して、前記通知情報を受信する端末通信手段と、前記端末通信手段が前記通知情報を受信したときの前記画像処理装置本体との距離を検出する距離検出手段と、前記画像処理装置本体での所定の状態の発生を、通知音を発生して通知する通知手段と、前記距離検出手段の検出した前記画像処理装置本体との距離に基づいて前記通知手段による前記通知音の発生を制御する通知制御手段と、を備えていることを特徴としている。
【発明の効果】
【０００７】
本発明によれば、適切な通知音の発生制御を行うことができる。
【図面の簡単な説明】
【０００８】
【図１】本発明の一実施例を適用した画像処理システムの構成図。
【図２】画像処理システムの画像処理装置本体の要部ブロク構成図。
【図３】画像処理システムの操作端末の要部ブロック構成図。
【図４】画像処理システムにおける警告音発生制御処理のシーケンス図。
【図５】有線通信方式の場合の警告音発生制御の説明図。
【図６】近距離無線通信方式の場合の警告音発生制御の説明図。
【図７】ｗｉｆｉ通信方式の場合の警告音発生制御の説明図。
【図８】遠距離無線通信方式の場合の警告音発生制御の説明図。
【図９】複数台の画像処理装置本体に操作端末が接続されている場合の警告音発生制御の説明図。
【発明を実施するための形態】
【０００９】
以下、本発明の好適な実施例を添付図面に基づいて詳細に説明する。なお、以下に述べる実施例は、本発明の好適な実施例であるので、技術的に好ましい種々の限定が付されているが、本発明の範囲は、以下の説明によって不当に限定されるものではなく、また、本実施の形態で説明される構成の全てが本発明の必須の構成要件ではない。
【実施例１】
【００１０】
図１〜図９は、本発明の画像処理システム、通知音制御方法及び通知音制御プログラムの一実施例を示す図であり、図１は、本発明の画像処理システム、通知音制御方法及び通知音制御プログラムの一実施例を適用した画像処理システム１の要部ブロック構成図である。
【００１１】
図１において、画像処理システム１は、画像処理装置本体２と、画像処理装置本体２に有線及び無線の適宜の通信方式によって選択的に接続される操作端末３と、を備えている。
【００１２】
画像処理装置本体２は、例えば、ファクシミリ装置、複写装置、プリンタ装置、スキャナ装置、複合装置等の画像処理装置本体であり、図示しないが、画像処理装置として必要なハードウェア、例えば、プリンタエンジン、スキャナエンジン、ファクシミリエンジン、通信エンジン等及びコントローラを備えているとともに、ＯＳ（Operating System）上に、各種アプリケーションが搭載されることで、ハードウェアを利用した各種動作機能、プリンタ機能、スキャナ機能、コピー機能、ファクシミリ機能等を実行する。
【００１３】
すなわち、画像処理装置本体２は、ＲＯＭ、ＥＥＰＲＯＭ（Electrically Erasable and Programmable Read Only Memory ）、ＥＰＲＯＭ、フラッシュメモリ、フレキシブルディスク、ＣＤ−ＲＯＭ（Compact Disc Read Only Memory ）、ＣＤ−ＲＷ（Compact Disc Rewritable ）、ＤＶＤ（Digital Versatile Disk）、ＳＤ（Secure Digital）カード、ＭＯ（Magneto-Optical Disc）等のコンピュータが読み取り可能な記録媒体に記録されている本発明の通知音制御方法を実行する通知音制御プログラムを読み込んで、図示しないコントローラ内の不揮発性メモリやハードディスク等に導入することで、後述する画像処理装置本体２の装置状態、特に、異常状態（所定の状態）の発生の有無を検出して、異常状態が発生すると、その旨およびその内容を異常情報（通知情報）として操作端末３に送信する通知音制御方法を実行する画像処理装置として構築されている。この通知音制御プログラムは、アセンブラ、Ｃ、Ｃ＋＋、Ｃ＃、Ｊａｖａ（登録商標）等のレガシープログラミング言語やオブジェクト指向ブログラミング言語等で記述されたコンピュータ実行可能なプログラムであり、上記記録媒体に格納して頒布することができる。
【００１４】
そして、画像処理装置本体２は、上述のように、画像処理装置として必要な各部を備えているとともに、画像処理装置本体２における通知音制御プログラムが導入されることで、図２にその要部ブロック図を示すように、異常発生検知部２１、警告報知部２２及び通信部２３等が構築されている。
【００１５】
異常発生検知部２１は、画像処理装置本体２にユーザへの通知を要する異常状態、例えば、紙詰まり、用紙切れ、トナー等の印刷剤切れ等の異常状態（所定の状態）の発生の有無を検知し、検知結果及び検知内容を、警告報知部２２及び通信部２３に通知する。
【００１６】
警告報知部２２は、スピーカと音声発生回路等の警告音発生部、警告情報を表示するディスプレイ等を備えており、異常発生検知部２１から異常を発生した旨の検知結果及び異常内容が通知されると、少なくとも、異常が発生した旨の異常発生警告音を、警告音発生部から拡声出力する。この場合、警告報知部２２は、ディスプレイに異常内容を通知する警告情報を表示出力してもよい。
【００１７】
通信部（通信手段）２３は、各種通信方式で操作端末３と通信する通信インターフェイスを備えており、異常発生検知部２１から異常を発生した旨の検知結果及び異常内容が通知されると、該異常通知を受けたときに操作端末３と接続されている通信方式で該操作端末３と通信して、検知結果及び異常内容を異常情報（通知情報）として、該操作端末３の解釈可能な信号形態で送信する。
【００１８】
すなわち、異常発生検知部２１は、画像処理装置本体２における所定の状態としての異常状態の発生を検出する状態検出手段として機能しているとともに、異常状態（所定の状態）を検出すると、通信部２３に該異常状態の発生を通知する異常情報（通知情報）を操作端末３へ送信させる通信制御手段として機能している。
【００１９】
そして、操作端末３は、各種形式の端末、例えば、画像処理装置本体２に専用の操作端末だけでなく、ＯＳとしてAndroid（登録商標）、IOS（登録商標）、windows（登録商標）等を搭載したスマートフォンやタブレット等の携帯端末等を用いることができ、該端末として動作するのに必要なハードウェア及びソフトウェアを搭載している。特に、操作端末３は、画像処理装置本体２で異常状態が発生したときに、画像処理装置本体２と通信して該異常情報を受信し、受信した異常情報に基づいて、少なくとも異常警告音（通知音）を拡声出力する音声出力機能を備えている。
【００２０】
すなわち、操作端末３は、ＲＯＭ、ＥＥＰＲＯＭ、ＥＰＲＯＭ、フラッシュメモリ、フレキシブルディスク、ＣＤ−ＲＯＭ、ＣＤ−ＲＷ、ＤＶＤ、ＳＤカード、ＭＯ等のコンピュータが読み取り可能な記録媒体に記録されている本発明の通知音制御方法を実行する通知音制御プログラムを読み込んで、図示しないコントローラ内の不揮発性メモリ等に導入することで、後述する画像処理装置本体２の装置状態、特に、警告音の発生制御を行なう通知音制御方法を、画像処理装置本体２と操作端末３との距離に基づいて、警告音の発生制御を行なう通知音制御方法を実行する操作端末として構築されている。この通知音制御プログラムは、アセンブラ、Ｃ、Ｃ＋＋、Ｃ＃、Ｊａｖａ（登録商標）等のレガシープログラミング言語やオブジェクト指向ブログラミング言語等で記述されたコンピュータ実行可能なプログラムであり、上記記録媒体に格納して頒布することができる。
【００２１】
そして、操作端末３は、搭載するＯＳ上に、上記警告音の発生制御を行なう通知音制御方法を実行する通知音制御プログラムが導入されることで、図３に示すように、警告音発生判定部３１、通信部３２、通信方式判定部３３及び警告音発生部３４等が構築されている。
【００２２】
通信部（端末通信手段）３２は、各種通信方式で画像処理装置本体２の通信部２３と通信する通信インターフェイスを備えており、画像処理装置本体２から異常（所定の状態）を発生した旨の検知結果及び異常内容の異常情報（通知情報）が送られてくると、該異常情報を受信して、警告音発生判定部３１に渡す。
【００２３】
警告音発生判定部３１は、通信部３２から異常情報を受け取ると、該異常情報を通信部３２が受信したときの通信方式を、通信方式判定部３３に判定させ、通信方式判定部３３の判定結果に基づいて画像処理装置本体２との距離を判定して、該画像処理装置本体２との距離に基づいて警告音（通知音）を発生するか否か判定する。
【００２４】
警告音発生判定部３１は、警告音を発生するか否かの判定基準として、例えば、画像処理装置本体２の警告報知部２２で報知出力される警告音と操作端末３で報知出力される警告音とが重なって２重警告となるか否かの距離が、画像処理装置本体２と携帯端末３との間にあるか否かを採用する。操作端末３は、操作部の操作によって、警告音を発生するか否かの判定基準を適宜設定可能とし、設定された判定基準を内部の不揮発性メモリに保存して、警告音発生判定部３１が、該不揮発性メモリの判定基準に基づいて警告音の発生の要否を判定してもよい。
【００２５】
そして、警告音発生判定部３１は、画像処理装置本体２との距離を検出する方法として、通信方式判定部３３に、上記異常情報を受信したときの通信部３２の通信方式を判定させて、その判定結果の通信方式に基づいて、画像処理装置本体２との距離を検出している。
【００２６】
通信方式判定部３３は、上記異常情報を受信したときの通信部３２が、画像処理装置本体２の通信部２３との通信方式として、例えば、有線であるか、無線であるか、無線であっても、近距離無線と遠距離無線のいずれの通信方式であるか等を判定する。例えば、通信方式判定部３３は、画像処理装置本体２の通信部２３との通信方式が、ＵＳＢ（Universal Serial Bus）等を用いた有線接続、近距離Ｂｌｕｅｔｏｏｔｈ（有効範囲１０ｍ）、遠距離Ｂｌｕｅｔｏｏｔｈ（有効範囲１００ｍ）、ｗｉｆｉ（wireless fidelity）等の通信方式のいずれであるかを判定して、判定した通信方式を警告音発生判定部３１に通知する。
【００２７】
警告音発生判定部３１は、通信方式判定部３３から通信部３２の通信方式が通知されると、該通信方式から画像処理装置本体２との距離を判定して、警告音を発生するか否か判定する。例えば、警告音判定部３１は、通信部３２の通信方式が、有線または近距離Ｂｌｕｅｔｏｏｔｈ（有効範囲１０ｍ）であると、画像処理装置本体２との２重警告音の発生を防止するために、警告音を発生させないと判定し、通信部３２の通信方式が、遠距離Ｂｌｕｅｔｏｏｔｈ（有効範囲１００ｍ）またはｗｉｆｉであると、携帯端末３で警告音を発生させても、画像処理装置本体２との２重警告音とはならないと判断して、警告音発生部３４に警告音発生信号を出力する。
【００２８】
したがって、警告音発生判定部３１及び通信方式判定部３３は、全体として、前記通信部３２が通知情報である異常情報を受信したときの画像処理装置本体２との距離を検出する距離検出手段として機能し、また、警告音発生判定部３１は、該距離検出手段の検出した画像処理装置本体２との距離に基づいて通知手段である警告音発生部３４による警告音（通知音）の発生を制御する通知制御手段として機能している。
【００２９】
なお、本実施例においては、操作端末３は、通信部３２が異常情報を受信したときの画像処理装置本体２との距離を、画像処理装置本体２と操作端末３との通信方式に基づいて検出しているが、該距離の検出方法としては、通信方式で行なう方法に限るものではなく、適宜の方法を用いることができ、例えば、所定の距離範囲でのみ通信可能な近距離通信で異常情報を送信してきた画像処理装置本体２に応答要求を送信して、該画像処理装置本体２から確認応答が戻ってくるか否かによって、該画像処理装置本体２が該所定距離範囲内に存在しているか否か検出する方法等であってもよい。
【００３０】
警告音発生部３４は、スピーカと音声発生回路等を備えており、警告音発生判定部３１から警告音発生信号が入力されると、該警告音発生信号に応じた警告音または予め設定されている警告音を拡声出力する。
【００３１】
なお、操作端末３は、通常、ディスプレイを備えており、警告音発生判定部３１は、通信部３２が画像処理装置本体２から異常情報に含まれている異常内容を、警告音の発生とは無関係に、ディスプレイに表示出力してもよい。
【００３２】
なお、操作端末３は、図３には図示しないが、画像処理装置本体２に、画像処理装置本体２の備えている各種機能動作を行わせるのに必要な各種操作を行なう操作キーが、タッチ画面に機能キーとして表示出力されたり、ハードキーに割り付けられることで備えており、該操作キーが操作されると、操作情報を通信部３２から画像処理装置本体２の通信部２３に送信する。また、操作端末３は、画像処理装置本体２の操作を行う操作機能を有しているものにかぎらず、例えば、少なくとも、異常情報を画像処理装置本体２から受信して、画像処理装置本体２との距離に基づいて警告音の発生制御を行う機能を有していれば、どのようなものであってもよい。
【００３３】
次に、本実施例の作用について説明する。本実施例の画像処理システム１は、画像処理装置本体２と操作端末３との距離に基づいて画像処理装置本体２の状態情報の出力を変更する。
【００３４】
すなわち、画像処理システム１は、図４に示すように、画像処理装置本体２において、ユーザＵ（図５〜図８参照）に通知する必要のある所定の状態である異常が発生して、画像処理装置本体２の異常発生検知部２１が該異常の発生を検知すると、異常発生検知部２１は、検知結果及び検知内容を、警告報知部２２及び通信部２３に通知し、警告報知部２２は、異常発生検知部２１から異常を発生した旨の検知結果及び異常内容が通知されると、少なくとも、異常が発生した旨の異常発生の警告音を、警告音発生部から拡声出力、また、ディスプレイに異常内容を通知する警告情報を表示出力する。
【００３５】
通信部２３は、異常発生検知部２１から異常が発生した旨の検知結果及び異常内容が通知されると、該異常通知を受けたときに操作端末３と接続されている通信方式で該操作端末３の通信部３２と通信して、検知結果及び異常内容を異常情報として、該操作端末３の解釈可能な信号形態で送信する。
【００３６】
通信部３２が異常情報を受信すると、通信方式判定部３３が、該異常情報を受信したときの通信部３２の通信方式を判定し、判定結果の通信方式を、警告音発生判定部３１に出力する。
【００３７】
警告音発生判定部３１は、通信方式判定部３３の判定した通信部３２の通信方式に基づいて、警告音発生部３４による警告音の発生の要否を制御する。
【００３８】
例えば、警告音発生判定部３１は、通信方式判定部３３が、図５に示すように、有線で接続されていたり、図６に示すように、近距離Ｂｌｕｅｔｏｏｔｈ（有効範囲１０ｍ）等のような近距離無線通信方式で接続されているときには、画像処理装置本体２の警告報知部２２による警告音との２重警告音となることを避けるために、警告音を発生させないと判定して、操作端末３の警告発生部３４からの警告の発生を禁止する。
【００３９】
一方、警告音発生判定部３１は、通信方式判定部３３が、図７に示すように、ｗｉｆｉで接続されていたり、図８に示すように、遠距離Ｂｌｕｅｔｏｏｔｈ（有効範囲１００ｍ）等のような遠距離無線通信方式で接続されているときには、画像処理装置本体２の警告報知部２２による警告音との２重警告音となることはないと判断して、操作端末３の警告発生部３４に警告音発生信号を出力し、警告発生部３４から警告音を拡声出力させて、異常発生を確実にユーザＵに通知する。
【００４０】
また、画像処理システム１は、操作端末３が、例えば、図９に示すように、複数（図９では、２台）の画像処理装置本体２Ａと画像処理装置本体２Ｂに接続されている場合、上記同様に、例えば、画像処理装置本体２Ａには、有線で接続され、画像処理装置本体２Ｂには、無線で接続されているときに、画像処理装置本体２Ｂで異常状態が発生すると、画像処理装置本体２Ｂの警告報知部２２が警告音を発生するとともに、操作端末３の警告音発生判定部３１が、画像処理装置本体２Ｂの警告報知部２２による警告音との２重警告音となることはないと判断して、操作端末３の警告発生部３４に警告音発生信号を出力し、警告発生部３４から警告音を拡声出力させる。
【００４１】
この場合、操作端末３の警告音発生判定部３１は、異常状態の発生した画像処理装置本体２Ａ、２Ｂを特定可能な警告音を警告音発生部３４に発生させてもよい。すなわち、この場合、操作端末３は、接続されている複数の画像処理装置本体２Ａ、２Ｂ毎に異なる警告音を割り当てて警告音発生判定部３１の内部メモリ等に記憶しておいて、異常状態の発生した画像処理装置本体２Ａ、２Ｂに割り当ててある警告音を警告音発生部３４に発生させる。
【００４２】
このように、本実施例の画像処理システム１は、画像処理動作を行う画像処理装置本体２と、該画像処理装置本体２の動作を操作する操作端末３と、が任意の通信方式で通信する画像処理システム１であって、画像処理装置本体２が、操作端末３と前記通信方式で通信する通信部（通信手段）２３と、該画像処理装置本体２における所定の状態である異常状態の発生を検出する異常発生検知部（状態検出手段）２１と、異常発生検知部２１が前記異常状態を検出すると、通信部２３に該異常状態の発生を通知する異常情報（通知情報）を操作端末３へ送信させる異常発生検知部（通信制御手段）２１と、を備え、操作端末３が、前記通信方式で画像処理装置本体２の通信部２３と通信して、前記異常情報を受信する通信部（端末通信手段）３２と、通信部３２が前記異常情報を受信したときの画像処理装置本体２との距離を検出する距離検出手段としての通信方式判定部３３と警告音発生判定部３１と、画像処理装置本体２での異常発生を、警告音（通知音）を発生して通知する警告音発生部（通知手段）３４と、検出した画像処理装置本体２との距離に基づいて警告音発生部３４による前記警告音の発生を制御する警告音発生判定部（通知制御手段）３１と、を備えている。
【００４３】
したがって、画像処理装置本体２と操作端末３との距離に基づいて画像処理装置本体２の異常状態が発生した旨の操作端末３における警告音の発生制御を行うことができ、ユーザに対して画像処理装置本体２と操作端末３の警告音が２重に重なって聞こえることを防止しつつ確実に警告音をユーザに通知する適切な警告音の発生制御を、利用性を向上させつつ行うことができる。
【００４４】
また、本実施例の画像処理システム１は、画像処理動作を行う画像処理装置本体２と、該画像処理装置本体２の動作を操作する操作端末３と、が任意の通信方式で通信する画像処理システム１の実行する画像処理方法であって、前記画像処理装置本体２が、前記操作端末３と前記通信方式で通信する通信処理ステップと、画像処理装置本体２における異常状態（所定の状態）の発生を検出する状態検出処理ステップと、前記状態検出処理ステップで前記異常状態が検出されると、前記通信処理ステップで該異常状態の発生を通知する異常情報（通知情報）を前記操作端末３へ送信させる通信制御処理ステップと、を有し、前記操作端末３が、前記通信方式で前記画像処理装置本体２の前記通信処理ステップと通信して、前記異常情報を受信する端末通信処理ステップと、前記端末通信処理ステップで前記異常情報が受信されたときの前記画像処理装置本体２との距離を検出する距離検出処理ステップと、前記画像処理装置本体２での異常発生を、警告音（通知音）を発生して通知する通知処理ステップと、前記距離検出処理ステップで検出された前記画像処理装置本体２との距離に基づいて前記通知処理ステップによる前記警告音の発生を制御する通知制御処理ステップと、を有する画像処理方法を実行している。
【００４５】
したがって、画像処理装置本体２と操作端末３との距離に基づいて画像処理装置本体２の異常状態が発生した旨の操作端末３における警告音の発生制御を行うことができ、ユーザに対して画像処理装置本体２と操作端末３の警告音が２重に重なって聞こえることを防止しつつ確実に警告音をユーザに通知する適切な警告音の発生制御を、利用性を向上させつつ行うことができる。
【００４６】
さらに、本実施例の画像処理システム１は、画像処理動作を行う画像処理装置本体２と、該画像処理装置本体２の動作を操作する操作端末３と、が任意の通信方式で通信する画像処理システム１の搭載する画像処理プログラムであって、前記画像処理装置本体２が、コンピュータに、前記操作端末３と前記通信方式で通信する通信処理と、前記画像処理装置本体２における異常状態（所定の状態）の発生を検出する状態検出処理と、前記状態検出処理で前記異常状態が検出されると、前記通信処理で該異常状態の発生を通知する異常情報（通知情報）を前記操作端末３へ送信させる通信制御処理と、を実行させ、を有し、前記操作端末３が、コンピュータに、前記通信方式で前記画像処理装置本体２と通信して、前記異常情報を受信する端末通信処理と、前記端末通信処理で前記異常情報が受信されたときの前記画像処理装置本体２との距離を検出する距離検出処理と、前記画像処理装置本体２での異常発生を、警告音（通知音）を発生して通知する通知処理と、前記距離検出処理で検出された前記画像処理装置本体２との距離に基づいて前記通知処理による前記警告音の発生を制御する通知制御処理と、を実行させる画像処理プログラムを搭載している。
【００４７】
したがって、画像処理装置本体２と操作端末３との距離に基づいて画像処理装置本体２の異常状態が発生した旨の操作端末３における警告音の発生制御を行うことができ、ユーザに対して画像処理装置本体２と操作端末３の警告音が２重に重なって聞こえることを防止しつつ確実に警告音をユーザに通知する適切な警告音の発生制御を、利用性を向上させつつ行うことができる。
【００４８】
また、本実施例の画像処理システム１は、操作端末３の通信部３２が、複数の画像処理装置本体２の通信部２３とそれぞれ通信し、距離検出手段としての通信方式判定部３３と警告音発生判定部３１が、通信部３２が前記異常情報を受信したときの該異常情報の送信元の画像処理装置本体２との距離を検出している。
【００４９】
したがって、１つの操作端末３で複数の画像処理装置本体２を操作しているときに、どの画像処理装置本体２に異常が発生したかを確実にかつ適切にユーザに通知することができ、利用性をより一層向上させることができる。
【００５０】
さらに、本実施例の画像処理システム１は、前記距離検出手段としての通信方式判定部３３と警告音発生判定部３１が、操作端末３の通信部３２が前記異常情報を受信したときの該通信部３２による画像処理装置本体２との通信方式に基づいて該画像処理装置本体２との距離を検出している。
【００５１】
したがって、警告音の制御に必要な距離を簡単かつ容易に検出することができ、ユーザに対して画像処理装置本体２と操作端末３の警告音が２重に重なって聞こえることを適切に防止しつつ確実に警告音をユーザに通知する適切な警告音の発生制御を、安価に行うことができる。
【００５２】
また、本実施例の画像処理システム１は、前記警告制御手段としての警告音発生判定部３１が、前記距離検出手段としての通信方式判定部３３と警告音発生判定部３１の検出した前記通信方式が、有線接続方式または所定の近距離の無線通信方式であると、警告音発生部３４による前記警告音の発生を禁止し、該通信方式が、所定の遠距離の無線通信方式であると、警告音発生部３４による該警告音の発生を行わせている。
【００５３】
したがって、警告音の制御に必要な距離を簡単かつ容易に検出することができ、ユーザに対して画像処理装置本体２と操作端末３の警告音が２重に重なって聞こえることを適切に防止しつつ確実に警告音をユーザに通知する適切な警告音の発生制御を、安価に行うことができる。
【００５４】
さらに、本実施例の画像処理装置は、画像処理動作を行う画像処理装置本体２と、該画像処理装置本体２の動作を操作する操作端末３が該画像処理装置本体２に対して着脱可能に接続され、画像処理装置本体２と操作端末３が任意の通信方式で通信し、画像処理装置本体２が、操作端末３と前記通信方式で通信する通信部（通信手段）２３と、該画像処理装置本体２における異常状態の発生を検出する異常発生検知部（状態検出手段）２１と、異常発生検知部２１が前記異常状態を検出すると、通信部２３に該異常状態の発生を通知する異常情報を操作端末３へ送信させる異常発生検知部（通信制御手段）２１と、を備え、操作端末３が、前記通信方式で画像処理装置本体２の通信部２３と通信して、少なくとも前記異常情報を受信する通信部（端末通信手段）３２と、通信部３２が前記異常情報を受信したときの画像処理装置本体２との距離を検出する距離検出手段としての通信方式判定部３３と警告音発生判定部３１と、画像処理装置本体２での異常発生を、少なくとも警告音を発生して通知する警告音発生部（警報手段）３４と、検出した画像処理装置本体２との距離に基づいて警告音発生部３４による前記警告音の発生を制御する警告音発生判定部（警告制御手段）３１と、を備えていてもよい。
【００５５】
この場合においても、画像処理装置本体２と操作端末３との距離に基づいて画像処理装置本体２の異常状態が発生した旨の操作端末３における警告音の発生制御を行うことができ、ユーザに対して画像処理装置本体２と操作端末３の警告音が２重に重なって聞こえることを防止しつつ確実に警告音をユーザに通知する適切な警告音の発生制御を、利用性を向上させつつ行うことができる。
【００５６】
なお、上記説明においては、操作端末３が、警告音発生判定部３１と通信方式判定部３３を備えて、通信方式に基づいて操作端末３と画像処理装置本体２との距離を判定して、該距離に基づいて操作端末３での警告音の発生を制御しているが、画像処理装置本体２が、警告音発生判定部と通信方式判定部を備えて、画像処理装置本体２側で、操作端末３と画像処理装置本体２との距離を判定して、操作端末３での警告音の発生を制御してもよい。この場合、例えば、画像処理装置本体２の警告音発生判定部が、通信方式判定部の判定した通信方式によって操作端末３との距離を判定し、警告音を発生させるときにのみ、警告音発生要求を操作端末３に送信する制御を行ってもよい。
【００５７】
以上、本発明者によってなされた発明を好適な実施例に基づき具体的に説明したが、本発明は上記実施例で説明したものに限定されるものではなく、その要旨を逸脱しない範囲で種々変更可能であることはいうまでもない。
【符号の説明】
【００５８】
１  画像処理システム
２  画像処理装置本体
３  操作端末
２１  異常発生検知部
２２  警告報知部
２３  通信部
３１  警告音発生判定部
３２  通信部
３３  通信方式判定部
３４  警告音発生部
Ｕ  ユーザ
【先行技術文献】
【特許文献】
【００５９】
【特許文献１】特開２００９−１８６６０７号公報
【図１】
2014027393.tif 000003
【図２】
2014027393.tif 000004
【図３】
2014027393.tif 000005
【図４】
2014027393.tif 000006
【図５】
2014027393.tif 000007
【図６】
2014027393.tif 000008
【図７】
2014027393.tif 000009
【図８】
2014027393.tif 000010
【図９】
2014027393.tif 000011